(57)【特許請求の範囲】
【請求項１】
外部機器との間で無線通信が行われる無線ＩＣデバイスに用いられ、平衡信号を入出力する平衡端子を備えた無線ＩＣと、
前記外部機器との間での無線通信による信号を送受信するためのアンテナコイルを含むアンテナ共振回路と、
前記無線ＩＣの前記平衡端子と前記アンテナ共振回路との間に接続されたインピーダンス整合回路の一部と、
を有するアンテナ装置であって、
前記インピーダンス整合回路の一部は、前記平衡端子に接続される、互いに磁気的に結合する２つのコイルを有し、
前記２つのコイルは、互いに磁束を強め合うように磁気的に結合している、
ことを特徴とするアンテナ装置。
【請求項２】
外部機器との間で無線通信が行われる無線ＩＣデバイスに用いられ、平衡信号を入出力する平衡端子を備えた無線ＩＣと、
前記外部機器との間での無線通信による信号を送受信するためのアンテナコイルを含むアンテナ共振回路と、
前記無線ＩＣの前記平衡端子と前記アンテナ共振回路との間に接続されたインピーダンス整合回路の一部と、
を有するアンテナ装置であって、
前記インピーダンス整合回路の一部は、前記平衡端子に接続される、互いに磁気的に結合する２つのコイルを有し、
前記２つのコイルは、それぞれのコイル軸が同一で、且つそのコイル軸方向に並んで配置されている、
ことを特徴とするアンテナ装置。
【請求項３】
前記２つのコイルは平面に形成され、一方のコイルが他方のコイルの内周側に配置された、請求項１に記載のアンテナ装置。
【請求項４】
前記２つのコイルは、前記２つの端子間の信号の位相を略１８０°異ならせる、請求項１〜３のいずれかに記載のアンテナ装置。
【請求項５】
前記２つのコイルは、前記平衡端子に対してそれぞれ直列に接続された、請求項１〜４のいずれかに記載のアンテナ装置。
【請求項６】
前記２つのコイルは、前記平衡端子に接続される第１のコイルと、この第１のコイルに磁気的に結合する第２のコイルとを備えた、請求項１〜４のいずれかに記載のアンテナ装置。
【請求項７】
前記２つのコイルのインダクタンスが等しい、請求項１〜６のいずれかに記載のアンテナ装置。
【請求項８】
前記２つのコイルは磁性体を含む積層基板に構成された、請求項１〜７のいずれかに記載のアンテナ装置。
【請求項９】
前記積層基板の表面または内部に、前記２つのコイルに導通する回路の少なくとも一部が配置された、請求項８に記載のアンテナ装置。
【発明の詳細な説明】
【技術分野】
【０００１】
この発明は、例えば近接電磁界により非接触で通信を行うＲＦＩＤのような無線ＩＣデバイスに用いられるアンテナ装置に関するものである。
【背景技術】
【０００２】
ＲＦＩＤとして用いられる非接触型ＩＣカード用リーダが非特許文献１に開示されている。
非特許文献１に開示されている非接触型ＩＣカード用リーダの等価回路を図１に示す。この非接触型ＩＣカードは、非接触型ＩＣカードと非接触で通信するリーダである。無線ＩＣ１１に対して、アンテナコイルＡＬ、アンテナコイルＱ値に対応する等価抵抗Ｒ１１，Ｒ１２、コンデンサＣ０によりアンテナ共振回路ＡＲが構成されている。【０００３】
コンデンサＣ１，Ｃ２及びインダクタＬ１，Ｌ２は、無線ＩＣ１１とアンテナ共振回路ＡＲとのインピーダンス整合をとるために設けられている。ダイオードブリッジＤＢは検波回路、コンデンサＣ３１，Ｃ３２，Ｃ４１，Ｃ４２は平滑回路として設けられている。【０００４】
前記アンテナ共振回路ＡＲ中のコンデンサＣ０を調整することによりアンテナ共振回路ＡＲの共振周波数を調整して良好な通信状態を確保するようにしている。
【先行技術文献】
【非特許文献】
【０００５】
【非特許文献１】苅部 浩 著、「トコトンやさしい非接触ＩＣカードの本」、日刊工業新聞社  出版、２００８年４月２０日発行、第８９頁
【発明の概要】
【発明が解決しようとする課題】
【０００６】
ところが、このような近接電磁界により非接触で通信を行う無線ＩＣデバイスにおいては、アンテナコイルのインダクタンスやコンデンサのキャパシタンスのばらつきによってアンテナ共振回路の共振周波数がばらつく。また、無線ＩＣデバイスの（特にアンテナコイルの）組み込み先の周囲環境によって、アンテナ共振回路の共振周波数が規定値からずれる。そのため、従来は図１に示したコンデンサＣ０をトリマーコンデンサで構成し、機器毎に個別にアンテナ共振回路の共振周波数を規定値に調整する必要があった。【０００７】
例えば携帯電話端末に適用する場合、極めて多種多様な機器毎のアンテナ装置または無線ＩＣデバイスを用意しなければならない。しかも、機器毎に調整作業が必要ともなると、作業工数が掛かってコストが嵩む問題があった。【０００８】
また、無線ＩＣ１１の平衡端子のそれぞれにインダクタＬ１，Ｌ２が必要である。しかも、この２つのインダクタＬ１，Ｌ２には低い直流抵抗、高い直流重畳特性（直流電流の許容値）のいずれも要求され、このことが小型化の妨げになっている。例えばインダクタＬ１，Ｌ２には瞬間的に数１００ｍＡ以上の電流が流れる。そのため他の部品に比べて非常に大きなコイルでインダクタＬ１，Ｌ２を構成することなり、このことが小型化の障害になる。【０００９】
上述の問題は、無線ＩＣを備えたものに限らず、平衡端子を有する高周波回路を備える装置についても同様である。また、アンテナ共振回路を備えたものに限らず、平衡端子を有する高周波回路と共振回路とを備えた装置についても同様である。【００１０】
そこで、この発明の目的は、共振回路の共振周波数調整用回路及びその調整作業を不要とし、さらには小型化したアンテナ装置を提供することにある。
【課題を解決するための手段】
【００１１】
この発明のアンテナ装置は、外部機器との間で無線通信が行われる無線ＩＣデバイスに用いられ、平衡信号を入出力する平衡端子を備えた無線ＩＣと、前記外部機器との間での無線通信による信号を送受信するためのアンテナコイルを含むアンテナ共振回路と、前記無線ＩＣの前記平衡端子と前記アンテナ共振回路との間に接続されたインピーダンス整合回路の一部と、を有し、
前記インピーダンス整合回路の一部は、前記平衡端子に接続される、互いに磁気的に結合する２つのコイルを有し、前記２つのコイルは、互いに磁束を強め合うように磁気的に結合している、ことを特徴としている。
また、この発明のアンテナ装置は、外部機器との間で無線通信が行われる無線ＩＣデバイスに用いられ、平衡信号を入出力する平衡端子を備えた無線ＩＣと、前記外部機器との間での無線通信による信号を送受信するためのアンテナコイルを含むアンテナ共振回路と、前記無線ＩＣの前記平衡端子と前記アンテナ共振回路との間に接続されたインピーダンス整合回路の一部と、を有し、
前記インピーダンス整合回路の一部は、前記平衡端子に接続される、互いに磁気的に結合する２つのコイルを有し、前記２つのコイルは、それぞれのコイル軸が同一で、且つそのコイル軸方向に並んで配置されている、ことを特徴としている。
【００１２】
前記２つのコイルは、前記２つの端子間の信号の位相を例えば略１８０°異ならせる。【００１３】
前記２つの端子は、例えば平衡信号を出力または入力する平衡端子であって、前記２つのコイルは、前記高周波回路の平衡端子に対してそれぞれ直列に接続される。【００１４】
前記２つの端子は、例えば平衡信号を出力または入力する平衡端子であって、前記２つのコイルは、前記高周波回路の平衡端子に接続される第１のコイルと、この第１のコイルに磁気的に結合する第２のコイルとを備える。
【００１７】
前記２つのコイルのインダクタンスは等しいことが望ましい。このことにより、前記２つのコイルの結合による効果が最も高まることになり、より広い周波数帯域で高い利得を得ることができる。【００１８】
前記２つのコイルは例えば磁性体を含む積層基板に形成されていれば、所定のインダクタンスを有する前記２つのコイルをより小型に構成できる。また、前記積層基板の表面または内部に、前記２つのコイルに導通する回路の少なくとも一部が配置されていれば、全体に小型化・薄型化できる。
【発明の効果】
【００２０】
前記２つのコイルは前記高周波回路の平衡端子間の信号の位相が広い周波数帯域に亘って略１８０°異なる状態に保たれるので、広い周波数帯域に亘って高い利得を得ることができる。【００２１】
また、前記アンテナ共振回路単体での共振周波数が既定値から多少ずれてもアンテナ共振回路と無線ＩＣとのインピーダンス整合をとることができ、トリマーコンデンサ等のアンテナ共振回路の共振周波数の調整用回路、及びその調整作業が不要となる。
【図面の簡単な説明】
【００２２】
【図１】非特許文献１に開示されている非接触型ＩＣカード用リーダの等価回路図である。
【図２】図２（Ａ）は第１の実施形態に係る無線ＩＣデバイス２０１Ａの回路図である。図２（Ｂ）は第１の実施形態に係るもう一つの無線ＩＣデバイス２０１Ｂの回路図である。
【図３】第１の実施形態に係る無線ＩＣデバイス２０１に備える２つのコイルＬ１，Ｌ２部分の構成を示す図である。
【図４】図２に示した無線ＩＣ１１の２つの送信端子ＴＸ１，ＴＸ２側から２つのコイルＬ１，Ｌ２側を見たインピーダンス（ＳパラメータのＳ１１）をスミスチャート上に表したものである。図４（Ａ）は、図２に示した２つのコイルＬ１，Ｌ２同士の結合係数が０．９の場合、図４（Ｂ）はその結合係数が０．００００１の場合の特性である。
【図５】第２の実施形態に係る無線ＩＣデバイス２０２の主要部の断面図である。
【図６】第２の実施形態に係る無線ＩＣデバイス２０２の内部に形成されている２つのコイルＬ１，Ｌ２の構成を示す図である。
【図７】図７（Ａ）は第３の実施形態に係る無線ＩＣデバイス２０３Ａの回路図である。図７（Ｂ）は第３の実施形態に係るもう一つの無線ＩＣデバイス２０３Ｂの回路図である。
【図８】第４の実施形態に係る無線ＩＣデバイス２０４の回路図である。
【発明を実施するための形態】
【００２３】
《第１の実施形態》
図２（Ａ）は第１の実施形態に係る無線ＩＣデバイス２０１Ａの回路図である。また、図２（Ｂ）は第１の実施形態に係るもう一つの無線ＩＣデバイス２０１Ｂの回路図である。
【００２４】
先ず、図２（Ａ）について説明する。図２（Ａ）に示すように、アンテナコイルＡＬとコンデンサＣ０とによってアンテナ共振回路ＡＲが構成されている。
【００２５】
無線ＩＣデバイス２０１Ａは、前記アンテナ共振回路ＡＲ、無線ＩＣ１１、制御部１２、暗号処理部１３、及びクロック回路１４を備えている。
前記アンテナ共振回路ＡＲと無線ＩＣ１１との間には、インピーダンス整合用の特性安定化回路ＳＭが備えられている。前記アンテナ共振回路ＡＲに対してコンデンサＣ１，Ｃ２，Ｃ３による直列回路が並列接続されている。そして、無線ＩＣ１１の第１の送信端子ＴＸ１と前記コンデンサＣ１，Ｃ３の接続点との間に第１のコイルＬ１が接続されている。また、無線ＩＣ１１の第２の送信端子ＴＸ２と前記コンデンサＣ２，Ｃ３の接続点との間に第２のコイルＬ２が接続されている。
【００２６】
前記第１のコイルＬ１と第２のコイルＬ２はそれぞれのインダクタンスが等しい。また、前記第１のコイルＬ１と第２のコイルＬ２は、磁束を強め合うように互いに磁気的に結合している。また、無線ＩＣ１１の受信端子ＲＸと前記コンデンサＣ１，Ｃ３の接続点との間にインピーダンス素子Ｚ１が接続されている。このインピーダンス素子Ｚ１は例えばコンデンサである。
【００２７】
前記第１のコイルＬ１、第２のコイルＬ２、３つのコンデンサＣ１，Ｃ２，Ｃ３によって、無線ＩＣ１１の２つの送信端子ＴＸ１，ＴＸ２とアンテナ共振回路ＡＲとのインピーダンス整合が図られる。
【００２８】
また、無線ＩＣ１１の受信端子ＲＸと前記アンテナ共振回路ＡＲとの間は前記コンデンサＣ１，Ｃ２，Ｃ３及びインピーダンス素子Ｚ１によってインピーダンス整合が図られる。
【００２９】
無線ＩＣ１１は送信端子ＴＸ１，ＴＸ２から１３．５６ＭＨｚの矩形波信号を平衡出力する。これにより、前記２つのコイルＬ１，Ｌ２、３つのコンデンサＣ１，Ｃ２，Ｃ３を介してアンテナ共振回路ＡＲが駆動され、アンテナコイルＡＬから１３．５６ＭＨｚの磁界が放射される。このアンテナコイルＡＬにＲＦＩＤタグが近接していると、そのＲＦＩＤタグは前記磁界信号を受けて電力を受電するとともに自身のＩＤに基づいてＲＦＩＤタグ内の無線ＩＣのインピーダンスを変化させ、ＲＦＩＤ側のアンテナ共振回路のインピーダンスを変化させる（ＡＳＫ変調する）。このことにより、ＲＦＩＤはエネルギーの反射によってＩＤを応答することになる。
【００３０】
無線ＩＣ１１は前記ＡＳＫ変調された前記反射の信号を受けて前記ＩＤを復号化する。無線ＩＣ１１側からデータやコマンドを送信する場合には、前記１３．５６ＭＨｚの駆動電圧（電流）をＡＳＫ変調する。ＲＦＩＤタグは受信した搬送波の強度変化を復号化することにより無線ＩＣ１１からのデータやコマンドを受信することになる。
【００３１】
制御部１２は無線ＩＣ１１に対して制御用の各種データやコマンドを入出力する。クロック回路１４は無線ＩＣ１１に対してクロック信号を与え、暗号処理部１３はＲＦＩＤで用いられる暗号に関する処理を行う。
【００３２】
図２（Ｂ）は、送信信号が不平衡出力されるように構成された例である。図２（Ｂ）において、端子ＴＸは送信信号出力端子、端子ＧＮＤはグランド端子である。その他の構成は図２（Ａ）に示したものと同様である。このように、送信信号の不平衡端子に適用することもできる。
【００３３】
図３は前記２つのコイルＬ１，Ｌ２部分の構成を示す図である。この２つのコイルＬ１，Ｌ２はフェライト製の磁性体基板２１の内部に構成されている。コイルＬ１，Ｌ２は、それぞれのコイル軸が同一で、且つそのコイル軸方向に並んで配置されている。また、コイルＬ１，Ｌ２は磁気的に結合する。
図３において、ポート＃１はアンテナ共振回路ＡＲ側へ接続され、第２のポート＃２は無線ＩＣ側へ接続される。
【００３４】
図４（Ａ）は、図２に示した無線ＩＣ１１の２つの送信端子ＴＸ１，ＴＸ２側から２つのコイルＬ１，Ｌ２側を見たインピーダンス（ＳパラメータのＳ１１）をスミスチャート上に表したものである。
【００３５】
図４（Ａ）は、図２に示した２つのコイルＬ１，Ｌ２同士の結合係数が０．９の場合、図４（Ｂ）はその結合係数が０．００００１の場合の特性である。前記２つのコイルＬ１−Ｌ２間の結合係数がほぼ０である時には、周波数を８．５６ＭＨｚから１８．５６ＭＨｚまでスイープした時、インピーダンス軌跡は図４（Ｂ）のようにスミスチャートの右端（インピーダンス無限大）から時計回りに大きく変位するのに対し、前記２つのコイルＬ１，Ｌ２が結合すると、周波数が８．５６ＭＨｚから１８．５６ＭＨｚまでスイープしてもインピーダンス軌跡はほとんど変位しない。これは、コイルＬ１，Ｌ２の結合により、無線ＩＣ１１の２つの送信端子ＴＸ１，ＴＸ２間の位相が略１８０°異なった状態に保たれるからである。すなわち、この８．５６ＭＨｚから１８．５６ＭＨｚの周波数帯で平衡特性が得られることが分かる。そのため、広い周波数帯に亘ってアンテナ共振回路ＡＲと無線ＩＣ１１との間のインピーダンス整合が確保され、アンテナ共振回路ＡＲの共振周波数のずれに対する利得低下が抑えられる。したがって、トリマーコンデンサ等のアンテナ共振回路の共振周波数の調整用回路、及びその調整作業が不要となる。例えば無線ＩＣデバイスの（特にアンテナコイルの）組み込み先の周囲環境によらず、機器毎に個別にアンテナ共振回路の共振周波数を規定値に調整するといった作業が不要となる。
【００３６】
また、２つのコイルが互いに磁束を強め合うように磁気的に結合させることにより、１つのコイルを通過する磁束が倍増し、コイル１つあたりの等価的なインダクタンスが２倍になる。したがって、必要なインダクタンスを得るに要するコイルの巻数を半分にすることができ、直流抵抗を半減できる。また、コイルの巻数を半分にすることにより、小型化を実現できる。
【００３７】
また、２つのコイルが互いに磁束を弱め合うように磁気的に結合させると、コイルに流れる電流の方向が逆になるので、インダクタンス値の設計を必要とすることなく、容易に位相を略１８０°異ならせることができる。
【００３８】
《第２の実施形態》
図５は第２の実施形態に係る無線ＩＣデバイス２０２の主要部の断面図である。図６は無線ＩＣデバイス２０２の内部に形成されている２つのコイルＬ１，Ｌ２の構成を示す図である。無線ＩＣデバイスの回路構成は、第１の実施形態で図２に示したものと同様である。
【００３９】
図６に示す例では、２つのコイルＬ１，Ｌ２がそれぞれスパイラル状に形成されるとともに、ほぼ同一平面上で第１のコイルＬ１が第２のコイルＬ２の内周側に配置されている。ポート＃１はアンテナ共振回路ＡＲ側へ接続され、第２のポート＃２は無線ＩＣ側へ接続される。このように、一方のコイルＬ１を他方のコイルＬ２の内周側に配置することで、２つのコイルＬ１，Ｌ２の結合を強くすることができ、確実にインピーダンス整合を確保することができる。
【００４０】
図５に表れているように、フェライトからなる磁性体基板２１の内部に、図５に示した２つのコイルＬ１，Ｌ２がほぼ同一平面内に形成されている。また磁性体基板２１の上面にはインピーダンス整合用のコンデンサ（図２に示したコンデンサＣ１，Ｃ２，Ｃ３）、アンテナ共振回路用のコンデンサＣ０等のチップ部品ＣＰが搭載されている。
【００４１】
なお、磁性体基板２１の上面または内部に、図２に示した無線ＩＣ１１、制御部１２、暗号処理部１３、及びクロック回路１４等を搭載してもよい。これにより、無線ＩＣチップも含めたモジュール（ＲＦＩＤモジュール）を構成でき、無線ＩＣデバイスへの組み込みが容易となる。
【００４２】
《第３の実施形態》
図７（Ａ）は第３の実施形態に係る無線ＩＣデバイス２０３Ａの回路図である。また、図７（Ｂ）は第３の実施形態に係るもう一つの無線ＩＣデバイス２０３Ｂの回路図である。
【００４３】
先ず、図７（Ａ）について説明する。図７（Ａ）に示すように、無線ＩＣデバイス２０３Ａは、アンテナ共振回路ＡＲ、無線ＩＣ１１、制御部１２、暗号処理部１３、クロック回路１４、及び無線ＩＣ１１とアンテナ共振回路ＡＲとの間のインピーダンス整合を行う特性安定化回路ＳＭを備えている。前記特性安定化回路ＳＭの構成が第１の実施形態で図２に示したものと異なる。また、無線ＩＣ１１が平衡入力の受信端子ＲＸ１，ＲＸ２を備えている点で異なる。
【００４４】
無線ＩＣ１１の２つの受信端子ＲＸ１，ＲＸ２に第１のコイルＬ１１の両端が接続されている。第２のコイルＬ１２の両端がコンデンサＣ３の両端に接続されている。この第１のコイルＬ１１と第２のコイルＬ１２とは磁気的に結合している。
【００４５】
第３の実施形態は無線ＩＣ１１の平衡入力端子ＲＸ１，ＲＸ２に対して本発明の「２つのコイル」を適用したものである。
【００４６】
また、無線ＩＣ１１の送信端子ＴＸ１，ＴＸ２とコンデンサＣ３の両端との間にそれぞれインピーダンス整合用のインピーダンス素子Ｚ１，Ｚ２が接続されている。この２つのインピーダンス素子Ｚ１，Ｚ２はそれぞれ例えばインダクタ（コイル）である。
このように無線ＩＣ１１とアンテナ共振回路ＡＲとの間を伝搬する送信信号に限らず、受信信号に対しても同様に適用できる。
【００４７】
さらに、図７（Ａ）に示した例では２つのコイルＬ１１，Ｌ１２が無線ＩＣ１１の平衡入力端子ＲＸ１，ＲＸ２とアンテナ共振回路ＡＲとの間を伝搬する平衡信号ラインに対して並列接続されている。
このように、本発明に係る２つのコイル（Ｌ１１，Ｌ１２）は、無線ＩＣとアンテナ共振回路ＡＲとの間を伝搬する平衡信号ラインに対して並列に接続されていてもよい。
【００４８】
２つのコイルを並列接続することによって、アンテナ共振回路からの静電気の影響を除去することができ、無線ＩＣの静電破壊を防止できる。
【００４９】
図７（Ｂ）は、受信信号が不平衡入力されるように構成された例である。図７（Ｂ）において、端子ＲＸは受信信号入力端子、端子ＧＮＤはグランド端子である。その他の構成は図７（Ａ）に示したものと同様である。このように、受信信号の不平衡端子に適用することもできる。
【００５０】
《第４の実施形態》
図８は第４の実施形態に係る無線ＩＣデバイス２０４の回路図である。この図８に示す例では、無線ＩＣ１１の２つの送信端子（平衡出力端子）ＴＸ１，ＴＸ２とアンテナ共振回路ＡＲとの間のインピーダンス整合を行う特性安定化回路ＳＭに２つのコイルＬ１，Ｌ２が設けられている。同様に、無線ＩＣ１１の２つの受信端子（平衡入力端子）ＲＸ１，ＲＸ２とアンテナ共振回路ＡＲとの間のインピーダンス整合回路に２つのコイルＬ３，Ｌ４が設けられている。
【００５１】
また、図８に示す例では、アンテナ共振回路ＡＲと無線ＩＣ１１との間を伝搬する平衡信号の中性点（０ボルトライン）を接地するために、同容量の２つのコンデンサＣ０１，Ｃ０２の直列回路をアンテナ共振回路ＡＲに設け、コンデンサＣ０１，Ｃ０２の接続点とアンテナコイルＡＬの中央を接地している。また、インピーダンス整合回路にも、同容量のコンデンサＣ３１，Ｃ３２の直列回路を設け、これらの２つのコンデンサの接続点を接地している。
このように中性点の電位を安定化させることによって、無線ＩＣ１１内での平衡信号の０ボルトに対する変位を抑えて動作を安定化させることができる。
【００５２】
なお、以上に示した各実施形態では、アンテナ共振回路を備えた回路に前記特性安定化回路を設けたが、平衡信号を出力または入力する高周波回路と共振回路を備えた回路に適用することもできる。すなわち、前記高周波回路と共振回路との間に前記特性安定化回路を設けても良い。そのことによって、共振回路の共振周波数が既定値から多少ずれても共振回路と高周波回路とのインピーダンス整合をとることができ、トリマーコンデンサ等の共振回路の共振周波数の調整用回路、及びその調整作業が不要となる。
【００５３】
また、以上に示した各実施形態では、無線ＩＣを備えた回路に前記特性安定化回路を設けたが、平衡信号を出力または入力する回路と伝送線路との間に前記特性安定化回路を設けても良い。そのことによって、コイルの巻き数を半分にでき、直流抵抗を半減させるとともに小型化できる。
【００５４】
なお、特に、磁界を放射するアンテナ共振回路を備えた回路では、アンテナ共振回路の共振周波数よりも低周波の信号を入出力する２つの端子に接続されるので、２つの端子間の位相差が例えば１２０°や１６０°にずれやすいが、本発明では、互いに磁気的に結合する２つのコイルを有するので、２つの端子間の信号を略１８０°異ならせることができる。
【符号の説明】
【００５５】
１１…無線ＩＣ
１２…制御部
１３…暗号処理部
１４…クロック回路
２１…磁性体基板
２０１Ａ，２０１Ｂ，２０３Ａ，２０３Ｂ，２０４Ｂ…無線ＩＣデバイス
ＡＬ…アンテナコイル
ＡＲ…アンテナ共振回路
Ｃ０１，Ｃ０２…コンデンサ
Ｃ１，Ｃ２，Ｃ３…コンデンサ
Ｃ０…コンデンサ
ＣＰ…チップ部品
ＤＢ…ダイオードブリッジ
Ｌ１…第１のコイル
Ｌ２…第２のコイル
Ｌ１１，Ｌ１２…コイル
Ｌ３，Ｌ４…コイル
Ｑ…アンテナコイル
ＲＸ，ＲＸ１，ＲＸ２…受信端子
ＳＭ…特性安定化回路
ＴＸ，ＴＸ１，ＴＸ２…送信端子
Ｚ１，Ｚ２…インピーダンス素子
【図１】
0005316638.tif 000002
【図２】
0005316638.tif 000003
【図３】
0005316638.tif 000004
【図４】
0005316638.tif 000005
【図５】
0005316638.tif 000006
【図６】
0005316638.tif 000007
【図７】
0005316638.tif 000008
【図８】
0005316638.tif 000009